(57)【要約】【課題】電気泳動方式の表示素子を有する表示パネル等の不揮発性表示パネルを備えた表示装置において、画像の書き換え中に電池の電池残量の不足に陥って電力が供給されなくなると、画像への書き換えが完全に完了していない不完全な表示のまま表示が維持されてしまうことになる。【解決手段】表示中の画像の応じた移行時間で省電力状態になるように、表示中の画像に応じた移行時間を取得し、それに基づいて、省電力状態に移行する。【選択図】図１
2010271563.tif 000002
【特許請求の範囲】
【請求項１】
電力の供給を受けているときに画像を書き換え、電力の供給が断たれた状態であっても画像の表示を維持する不揮発性表示部と、
前記不揮発性表示部への電力の供給と停止とを切り替える切替部と、
前記不揮発性表示部の画像の書き換えを制御する表示制御部と、
利用者の入力操作を検知する操作部と、
画像に応じた移行時間を記憶した記憶装置から、前記不揮発性表示部に表示中の画像に応じた移行時間を取得する移行時間取得部と、
前記表示制御部により前記不揮発性表示部の画像の書き換えが行われた後、前記移行時間取得部により取得した移行時間が経過するまでに前記操作部により入力操作が検知された場合、入力操作に応じた画像に書き換える指示を前記表示制御部へ出力する第１書換指示部と、
前記表示制御部により前記不揮発性表示部の画像の書き換えが行われた後、前記操作部により入力操作が検知されないまま前記移行時間取得部にて取得した移行時間が経過した場合、前記不揮発性表示部への電力供給を停止する指示を前記切替部へ出力して画像の書き換えが不可能な省電力状態に移行させる省電力状態移行部と、
前記省電力状態移行部により省電力状態に移行された後、前記操作部により入力操作が検知された場合、前記不揮発性表示部への電力供給を開始する指示を前記切替部へ出力して画像の書き換えが可能な書換状態に移行させる書換状態移行部と、
前記書換状態移行部により書換状態に移行後、入力操作に応じた画像に書き換える指示を前記表示制御部へ出力する第２書換指示部と、
を備えたことを特徴とする表示装置。
【請求項２】
表示コンテンツを取得する表示コンテンツ取得部を備え、
前記表示制御部は、表示コンテンツの内容を表示する表示コンテンツ表示画像、または、利用者に選択させる項目の一覧を表示する選択画像に書き換え、
前記移行時間取得部は、選択画像を表示中のときよりも、表示コンテンツ表示画像を表示中のときに、短い移行時間を取得することを特徴とする請求項１に記載の表示装置。
【請求項３】
表示コンテンツを取得する表示コンテンツ取得部を備え、
前記表示制御部は、表示コンテンツの内容を表示する表示コンテンツ表示画像、または、利用者に文字列を入力させる文字列入力画像に書き換え、
前記移行時間取得部は、文字列入力画像を表示中のときよりも、表示コンテンツ表示画像を表示中のときに、短い移行時間を取得することを特徴とする請求項１に記載の表示装置。
【請求項４】
画像に応じて移行時間を記憶した移行時間記憶部と、
前記移行時間記憶部に記憶されている移行時間を、前記操作部で検知された入力操作に応じて変更する移行時間変更部と、を備え
前記移行時間取得部は前記移行時間記憶部に記憶されている移行時間を取得することを特徴とする請求項１に記載の表示装置。
【請求項５】
電力の供給を受けているときに画像を書き換え、電力の供給が断たれた状態であっても画像の表示を維持する不揮発性表示部と、
前記不揮発性表示部への電力の供給と停止とを切り替える切替部と、
前記不揮発性表示部の画像の書き換えを制御する表示制御部と、
利用者の入力操作を検知する操作部と、を備えた表示装置のコンピュータに対して、
前記不揮発性表示部に表示中の画像に応じた移行時間を取得する移行時間取得ステップと、
前記表示制御部により前記不揮発性表示部の画像の書き換えが行われた後、画像に応じた移行時間を記憶した記憶装置から、前記移行時間取得ステップにより取得した移行時間が経過するまでに前記操作部により入力操作が検知された場合、入力操作に応じた画像に書き換える指示を前記表示制御部へ出力する第１書換指示ステップと、
前記表示制御部により前記不揮発性表示部の画像の書き換えが行われた後、前記操作部により入力操作が検知されないまま前記移行時間取得ステップにて取得した移行時間が経過した場合、前記不揮発性表示部への電力供給を停止する指示を前記切替部へ出力して画像の書き換えが不可能な省電力状態に移行させる省電力状態移行ステップと、
前記省電力状態移行ステップにより省電力状態に移行された後、前記操作部により入力操作が検知された場合、前記不揮発性表示部への電力供給を開始する指示を前記切替部へ出力して画像の書き換えが可能な書換状態に移行させる書換状態移行ステップと、
前記書換状態移行部により書換状態に移行後、入力操作に応じた画像に書き換える指示を前記表示制御部へ出力する第２書換指示ステップと、
を実行させることを特徴とする表示装置のプログラム。
【発明の詳細な説明】
【技術分野】
【０００１】
本発明は、不揮発性表示部を備えた表示装置及び不揮発性表示部を備えた表示装置のプログラムに関する。
【背景技術】
【０００２】
従来から、電力の供給が絶たれても画像の表示が維持される表示装置が知られている（たとえば、特許文献１）。このような表示装置は、電気泳動型の表示素子やコレステリック液晶等を備えた不揮発性表示部を有する。不揮発性表示部は、画像の書き換えの際は電力の供給を必要とするが、画像の表示を維持するために電力の供給を必要としない。このため、画像の書き換え後において、少なくとも不揮発性表示部への電力の供給が停止された省電力状態を実行する表示装置がある。このようにすることで表示装置の消費電力が低減できる。
【０００３】
しかし、不揮発性表示部への電力の供給が停止された省電力状態に移行後に画像が再度書き換えられるためには、不揮発性表示部への電力供給が再度行われ、省電力状態から画像の書き換えが可能な書き換え状態に表示装置が復帰する必要がある。このため、不揮発性表示部への電力供給が停止された省電力状態の表示装置に対して利用者が所定の入力操作を行った場合、利用者の入力操作が不揮発性表示部の表示に反映されるまでの応答速度は復帰に要する時間の分だけ遅くなる。このような動作では、画像の書き換え完了後に利用者が連続して入力操作する場合に利用者は煩わしさを感じる。
【０００４】
このため、画像の書き換えが終了したあとにおいても一定時間の間は不揮発性表示部への電力の供給が維持された状態で利用者からの入力操作待ちを行う表示装置が知られている。この場合、一定時間の間に次の入力操作がない場合にのみ、不揮発性表示部への電力の供給が停止される。このようにすることで、一定時間の間は応答速度が遅くなることがないため利用者が煩わしさを感じることがなくなる。
【先行技術文献】
【特許文献】
【０００５】
【特許文献１】特開２００８−１９７９５３
【発明の概要】
【発明が解決しようとする課題】
【０００６】
従来の表示装置においては、不揮発性表示部に表示中の画像にかかわらず画像の書換えが完了してから一定時間経過後に省電力状態に移行していた。しかしながら、画像の書き換えが完了した後、利用者が連続して入力操作するまでの時間は表示中の画像によって異なる。一定時間が短く設定されていると、利用者が次の入力操作をおこなうのに時間がかかる場合には、利用者が次の入力操作を行うまでに表示装置は省電力状態に移行してしまう。一定時間を長くした場合は、利用者が次の入力操作を行う前に表示装置が省電力状態に移行してしまう確率は低くなるが、消費電力を低減する効果がうすれる。従って、画像の書き換えが完了してから省電力状態に移行するまでの時間は、表示中の画像に応じて最適な時間が設定されていることが望ましい。
【０００７】
本発明は、上述した問題を解決するためになされたものである。本発明の目的は、画像の書き換えの完了後に利用者が連続して入力操作をした場合、利用者の入力操作が不揮発性表示部の表示に反映されるまでの応答速度が速く、且つ、消費電力が低減された表示装置及び表示装置のプログラムを提供することである。
【課題を解決するための手段】
【０００８】
上述の課題を解決するため、本発明は以下の構成を備える。
【０００９】
請求項１に記載の表示装置は、電力の供給を受けているときに画像を書き換え、電力の供給が断たれた状態であっても画像の表示を維持する不揮発性表示部と、前記不揮発性表示部への電力の供給と停止とを切り替える切替部と、前記不揮発性表示部の画像の書き換えを制御する表示制御部と、利用者の入力操作を検知する操作部と、画像に応じた移行時間を記憶した記憶装置から、前記不揮発性表示部に表示中の画像に応じた移行時間を取得する移行時間取得部と、前記表示制御部により前記不揮発性表示部の画像の書き換えが行われた後、前記移行時間取得部により取得した移行時間が経過するまでに前記操作部により入力操作が検知された場合、入力操作に応じた画像に書き換える指示を前記表示制御部へ出力する第１書換指示部と、前記表示制御部により前記不揮発性表示部の画像の書き換えが行われた後、前記操作部により入力操作が検知されないまま前記移行時間取得部にて取得した移行時間が経過した場合、前記不揮発性表示部への電力供給を停止する指示を前記切替部へ出力して画像の書き換えが不可能な省電力状態に移行させる省電力状態移行部と、前記省電力状態移行部により省電力状態に移行された後、前記操作部により入力操作が検知された場合、前記不揮発性表示部への電力供給を開始する指示を前記切替部へ出力して画像の書き換えが可能な書換状態に移行させる書換状態移行部と、前記書換状態移行部により書換状態に移行後、入力操作に応じた画像に書き換える指示を前記表示制御部へ出力する第２書換指示部と、を備える。
【００１０】
請求項２に記載の表示装置は、請求項１に記載の表示装置が有する構成に加え、表示コンテンツを取得する表示コンテンツ取得部を備え、前記表示制御部は、表示コンテンツの内容を表示する表示コンテンツ表示画像、または、利用者に選択させる項目の一覧を表示する選択画像に書き換え、前記移行時間取得部は、選択画像を表示中のときよりも、表示コンテンツ表示画像を表示中のときに、短い移行時間を取得することを特徴とする。
【００１１】
請求項３に記載の表示装置は、請求項１に記載の表示装置が有する構成に加え、表示コンテンツを取得する表示コンテンツ取得部を備え、前記表示制御部は、表示コンテンツの内容を表示する表示コンテンツ表示画像、または、文字列を入力させる文字列入力画像に書き換え、前記移行時間取得部は、文字列入力画像を表示中のときよりも、表示コンテンツ表示画像を表示中のときに、短い移行時間を取得することを特徴とする。
【００１２】
請求項４に記載の表示装置は、請求項１に記載の表示装置が有する構成に加え、画像に応じて移行時間を記憶した移行時間記憶部と、前記移行時間記憶部に記憶されている移行時間を、前記操作部で検知された入力操作に応じて変更する移行時間変更部と、を備え、前記移行時間取得部は前記移行時間記憶部に記憶されている移行時間を取得することを特徴とする。
【００１３】
請求項５に記載の表示装置のプログラムは、電力の供給を受けているときに画像を書き換え、電力の供給が断たれた状態であっても画像の表示を維持する不揮発性表示部と、前記不揮発性表示部への電力の供給と停止とを切り替える切替部と、前記不揮発性表示部の画像の書き換えを制御する表示制御部と、利用者の入力操作を検知する操作部と、を備えた表示装置のコンピュータに対して、画像に応じた移行時間を記憶した記憶装置から、前記不揮発性表示部に表示中の画像に応じた移行時間を取得する移行時間取得ステップと、前記表示制御部により前記不揮発性表示部の画像の書き換えが行われた後、前記移行時間取得ステップにより取得した移行時間が経過するまでに前記操作部により入力操作が検知された場合、入力操作に応じた画像に書き換える指示を前記表示制御部へ出力する第１書換指示ステップと、前記表示制御部により前記不揮発性表示部の画像の書き換えが行われた後、前記操作部により入力操作が検知されないまま前記移行時間取得ステップにて取得した移行時間が経過した場合、前記不揮発性表示部への電力供給を停止する指示を前記切替部へ出力して画像の書き換えが不可能な省電力状態に移行させる省電力状態移行ステップと、前記省電力状態移行ステップにより省電力状態に移行された後、前記操作部により入力操作が検知された場合、前記不揮発性表示部への電力供給を開始する指示を前記切替部へ出力して画像の書き換えが可能な書換状態に移行させる書換状態移行ステップと、前記書換状態移行部により書換状態に移行後、入力操作に応じた画像に書き換える指示を前記表示制御部へ出力する第２書換指示ステップと、を実行させることを特徴とする。
【発明の効果】
【００１４】
請求項１に記載の発明によれば、表示中の画像に応じた移行時間で、不揮発性表示部への電力供給を停止した省電力状態に移行するため、画像の書き換えの完了後に利用者が連続して入力操作をした場合、利用者の入力操作が不揮発性表示部の表示に反映されるまでの応答速度が速く、且つ、消費電力が低減された表示装置を提供することができる。
【００１５】
請求項２に記載の発明によれば、請求項１に記載の発明が奏する効果に加え、選択画像の表示中よりも、表示コンテンツ表示画像を表示中の方がより早い移行時間で省電力状態に移行する。
【００１６】
表示コンテンツ表示画像を表示中に、利用者が行う入力操作として次の二つの入力操作が考えられる。ひとつ目の入力操作は、利用者が表示された画像を時間をかけて閲覧後、ページの書き換えを行う際に行われる入力操作である。この場合、画像の書き換えにある程度時間がかかったとしても、利用者はそれほど煩わしさを感じない。従って、利用者が画像を閲覧する場合は、省電力状態にすることで消費電力を抑えることが望ましい。ふたつ目の入力操作は、利用者が表示コンテンツを表示させて表示コンテンツの中から閲覧したいページを探している場合に行われる入力操作である。この場合、不揮発性表示部に表示された画像が目的のページと異なると、利用者は比較的素早いタイミングでページを書き換える操作を行う。このように利用者が目的のページを探しているときなどは、画像の書き換えに時間がかかると煩わしい。
【００１７】
選択画像を表示中に、利用者が行う入力操作として次の入力操作が考えられる。選択画像に表示された項目の中から目的の項目を選択する入力操作である。このように利用者が項目を選択する入力操作を行う場合に、画像の書き換えに時間がかかると煩わしい。
【００１８】
一般に、目的の項目を選択する入力操作よりも、目的のページを探しているときに行われる入力操作のほうが、画像の書き換え後、早いタイミングで行われる。よって、選択画像の表示中よりも、表示コンテンツ表示画像を表示中の方がより早い移行時間で省電力状態に移行するほうが、不揮発性表示部を備えた表示装置に適しており、電力消費を低減できる。
【００１９】
請求項３に記載の発明によれば、請求項１に記載の発明が奏する効果に加え、文字列入力画像の表示中よりも、表示コンテンツ表示画像を表示中の方がより早い移行時間で省電力状態に移行する。
【００２０】
文字列入力画像に書き換えられた後、利用者によって行われる入力操作は次のように行われる。一般に、利用者は文字列を入力する前に入力する文字列を頭の中で考えた後、複数の文字列を連続して表示装置に入力する。このような場合、利用者が文字列を頭の中で考えている途中で表示装置が省電力状態に陥ってしまうと、利用者がいざ文字列の入力操作を開始しても入力操作がすぐに不揮発性表示部に反映されず、煩わしさを感じる。
【００２１】
一般に、利用者が文字列を頭の中で考えてから行う入力操作よりも、目的のページを探しているときに行われる入力操作のほうが、画像の書き換え後、早いタイミングで行われる。よって、文字列入力画像の表示中よりも、表示コンテンツ表示画像を表示中の方がより早い移行時間で省電力状態に移行するほうが、不揮発性表示部を備えた表示装置に適しており、電力消費を低減できる。
【００２２】
請求項４に記載の発明によれば、請求項１に記載の発明が奏する効果に加え、利用者が画像に応じた移行時間を変更することができる。
【００２３】
請求項５に記載の発明によれば、表示中の画像に応じた移行時間で、不揮発性表示部への電力供給を停止した省電力状態に移行するため、画像の書き換えの完了後に利用者が連続して入力操作をした場合、利用者の入力操作が不揮発性表示部の表示に反映されるまでの応答速度が速く、且つ、消費電力を低減できる表示装置のプログラムを提供することができる。
【図面の簡単な説明】
【００２４】
【図１】表示装置１の外観を示した概略図である。
【図２】表示装置１のハードウェアの構成を示したブロック図である。
【図３】ＣＰＵ１０が有する各種の機能をブロック化して示した機能概念図である。
【図４】表示装置１におけるメイン動作の流れを示すフローチャートである。
【図５】不揮発性表示部４に表示された画像の一例を示した概略図である。
【図６】移行時間設定テーブルの一例である。
【発明を実施するための形態】
【００２５】
［実施形態］
以下に、本発明の第一の実施形態における表示装置１について説明する。
【００２６】
＜表示装置１の外観構成＞
図１は表示装置１の外観を示した概略図である。図１に示すように表示装置１は不揮発性表示部４と、複数のキーから構成される操作キー５とを備える。
【００２７】
利用者の入力操作にともない不揮発性表示部４の表示領域には各種の画像が表示される。不揮発性表示部４の表示領域には、表示装置１で表示可能な所定形式の表示コンテンツの内容を表示する表示コンテンツ表示画像や、表示する表示コンテンツを選択するための表示コンテンツ選択画像や、表示装置１で実行可能なメニュー項目を選択するためのメニュー画像や、パスワード等の文字列の入力を行うためのパスワード入力画像等の各種画像が表示される。
【００２８】
不揮発性表示部４への電力の供給が断たれても、不揮発性表示部４に表示された画像は表示されたまま維持される。電気泳動型の表示素子やコレステリック液晶等を備えた表示パネルを不揮発性表示部４に用いることができる。第一の実施形態における不揮発性表示部４は、電気泳動型の表示素子を備えた表示パネルを備える。このような不揮発性表示部４を備えた表示装置１は、画像の表示の維持のために電力を消費しない。したがって、画像の表示の維持に電力が消費される従来のＬＣＤ（Ｌｉｑｕｉｄ Ｃｒｙｓｔａｌ Ｄｉｓｐｌａｙ）パネルや、ＰＤＰ（Ｐｌａｓｍａ Ｄｉｓｐｌａｙ Ｐａｎｅｌ）などの自発光型の表示パネルを備えた表示装置に比べ、消費電力が少ないという特徴がある。不揮発性表示部４の詳細は後述する。
【００２９】
複数のキーから構成される操作キー５は、利用者が表示装置１へ指示を入力するために設けられたキーである。操作キー５は本発明の操作部に相当する。
【００３０】
操作キー５は、電源キー５０と、メニューキー５１と、閉じるキー５２と、拡大キー５３と、前キー５４と、次キー５５と、文字入力キー５６とから構成される。電源キー５０は、主に、表示装置１の電源のオンとオフの切り替えを行うための操作に用いられるキーである。メニューキー５１は、主に、表示装置１で実行可能なメニュー項目を選択させるメニュー画像を表示させるための操作に用いられるキーである。閉じるキー５２は、主に、表示させたメニュー画像を閉じてメニュー画像を表示させる前に表示させていた画像を表示させたり、表示中の表示コンテンツを閉じて表示コンテンツ選択画像を表示させたりするための操作に用いられるキーである。拡大キーは、主に、表示中の表示コンテンツを拡大表示するための操作に用いられるキーである。前キー５４は、主に、表示中の表示コンテンツのページをひとつ前のページに書き換えるための操作に用いられるキーである。次キー５５は、主に、表示中の表示コンテンツのページをひとつ次のページに書き換えるための操作に用いられるキーである。文字入力キー５６は、複数のキーから構成されており、主に、メニュー画像において表示させたメニュー項目を選択したり、パスワード入力画像の表示中においてパスワード等の所定の文字列を入力したりするための操作に用いられるキーである。
【００３１】
＜表示装置１のハードウェア構成＞
次に、表示装置１のハードウェアの構成について図２を参照して説明する。図２は表示装置１のハードウェアの構成を示したブロック図である。
【００３２】
表示装置１は、ＣＰＵ１０を備えている。ＣＰＵ１０は表装置１を構成する複数の周辺機器と接続されている。具体的には、ＣＰＵ１０は、振動子１０１と、メモリーカードインターフェース１１と、フラッシュメモリー１３と、ＥＥＰＲＯＭ１４と、ＲＡＭ１５と、無線通信部１７と、表示制御部１８と、電力制御部１９と、電源キー５０以外の操作キー５（メニューキー５１、閉じるキー５２、拡大キー５３、前キー５４、次キー５５、文字入力キー５６）とにそれぞれ電気的に接続されている。ＣＰＵ１０は、後述のメイン動作の中で、フラッシュメモリー１３に記憶された後述の制御プログラムをＲＡＭ１５に読み出して実行し、周辺機器の制御を行う。
【００３３】
振動子１０１は、ＣＰＵ１０の指令に従ってあらかじめ定められた基準クロックを発振し、発振した基準クロックをＣＰＵ１０へ供給する。基準クロックを供給されたＣＰＵ１０は、ＣＰＵ１０において制御プログラムの実行に必要なクロックＰＣＫと、周辺機器の動作に必要なクロックＣＣＫと、を発生させる。振動子１０１は、ＣＰＵ１０を介してバッテリー１６と接続されており、バッテリー１６からＣＰＵ１０に電力が供給されているときは、振動子１０１にも電力が供給される。ＣＰＵ１０におけるクロックの発生についての詳細は後述する。
【００３４】
フラッシュメモリー１３は、制御プログラムと、後述の移行時間設定テーブルとを記憶した書換え可能な不揮発性の記憶装置である。制御プログラムは、表示装置１を制御するためのファームウェアである。
【００３５】
ＲＡＭ１５は、ＣＰＵ１０が処理を実行する際にフラッシュメモリー１３に記憶された制御プログラムや各処理を実行する際に必要なデータを一時的に記憶する揮発性の記憶装置である。本実施例ではＳＤＲＡＭが、ＲＡＭ１５として用いられるものとする。
【００３６】
メモリーカードインターフェース１１は、携帯型の外部メモリーであるＳＤカード（登録商標）等のメモリーカード１２と接続するためのインターフェースである。メモリーカード１２は、表示装置１で表示可能な形式の表示コンテンツを記憶する。表示コンテンツは、どのような形式の電子ファイルで形成されていても良く、表示装置１に対して表示させる画像を提供できる形式であればどのような形式の電子ファイルで形成されていても良い。メモリーカードインターフェース１１は、後述の無線通信部１７を介してパーソナルコンピュータ等の外部機器から受信した所定形式の表示コンテンツを、接続されているメモリーカード１２に記憶する。
【００３７】
ＥＥＰＲＯＭ１４は、電力の供給が遮断された場合でも、記憶内容を保持する不揮発性の記憶装置である。電源がオンされた場合に電源がオフされる前に表示されていた画像を電源オン後に不揮発性表示部４に再現するために、ＥＥＰＲＯＭ１４は、電源がオフされる前に不揮発性表尾部４に表示されていた画像に関する情報を記憶する。
【００３８】
無線通信部１７は、パーソナルコンピュータ等の外部の装置から所定形式の表示コンテンツ等の情報の送受信を無線により行う。
【００３９】
表示制御部１８は、ＣＰＵ１０から受信する画像の書き換え指示に従って、不揮発性表示部４のゲートドライバ（図示外）とソースドライバ（図示外）とを制御して、不揮発性表示部４の画像を書き換える。
【００４０】
不揮発性表示部４は、不揮発性表示パネル（図示外）と、不揮発性表示パネルの各ゲートラインへゲート信号を出力するためのゲートドライバと、不揮発性表示パネルの各ソースラインへソース信号を出力するためのソースドライバとを備える。不揮発性表示パネルは、アクティブマトリクス方式の表示パネルである。不揮発性表示パネルは、表示面側の透明基板と、透明基板に対向する位置に設けられた背面基板とを有する。透明基板と背面基板との間に電気泳動型の表示素子が設けられている。アクティブマトリクス方式の表示パネルは、透明基板側に設けられた共通電極と背面基板側に画素ごとに設けられた画素電極とにそれぞれ電圧を印加することにより画像の書き換えが行われる。表示制御部１８から画像の書き換えの指示を受けたゲートドライバとソースドライバとは、書き換える画像に応じたゲート信号とソース信号とを不揮発性表示パネルのゲートラインとソースラインとに出力する。これにより不揮発性表示パネルの各画素電極には電気泳動型の表示素子を制御する電圧が印加され、不揮発性表示パネルに表示された画像は書き換えられる。
【００４１】
電力制御部１９は、ＣＰＵ１０及びＣＰＵ１０に接続された各周辺機器に対して、バッテリー１６からの電力の供給を制御する。電力制御部１９は、ＣＰＵ及び各周辺機器に対して、適切なタイミングで適切な電圧の電流を供給するために、スイッチングや昇圧や高圧等の行うための周知の回路素子から構成される。
【００４２】
電力制御部１９は上述の電源キー５０と接続されたスイッチング素子を備え、電源キー５０が利用者に押下されることによりバッテリー１６とＣＰＵ１０とが接続され、ＣＰＵ１０に電力が供給される。
【００４３】
また、電力制御部１９は、ＣＰＵ１０からの指示に従ってスイッチング動作を行う複数のＦＥＴスイッチを備える。このＦＥＴスイッチのオンとオフとのスイッチング動作により、各周辺機器への電力供給または電力供給の停止が制御される。尚、電力制御部１９が備える昇圧回路または降圧回路により、ＣＰＵ１０及び各周辺機器へはそれぞれ適切な電圧が供給される。
【００４４】
ＣＰＵ１０は、振動子１０１から供給される基準クロックに基づいて、上述の制御プログラムを実行するためのクロックＰＣＫと、周辺機器の動作に必要なクロックＣＣＫとを発生する。メモリーカードインターフェース１１と、フラッシュメモリー１３と、ＥＥＰＲＯＭ１４と、ＲＡＭ１５と、無線通信部１７と、表示制御部１８と、不揮発性表示部４とは、ＣＰＵ１０にて発生されるクロックＣＣＫに基づいて動作する。以降の説明において、クロックＣＣＫに基づいて動作するこれらの周辺機器をまとめて、クロック供給周辺機器１０７と称す。
【００４５】
ＣＰＵ１０におけるこれらのクロックについて図３を参照して説明する。図３は、ＣＰＵ１０が有する各種の機能をブロック化して示した機能概念図である。
【００４６】
ＣＰＵ１０は、機能として、第１クロック発生部１０２と、第２クロック発生部１０３と、演算処理部１０４と、タイマー１０６とを備える。
【００４７】
第１クロック発生部１０２は、振動子１０１により供給される基準クロックの周波数を逓倍、または、分周して所定の周波数（例えば２００ＭＨｚ）のクロックＰＣＫを発生する。クロックＰＣＫは、ＲＡＭ１５に読み出された制御プログラムを実行するためのクロックである。第１クロック発生部１０２で発生されたクロックＰＣＫは、演算処理部１０４と、第２クロック発生部１０３とへ供給される。
【００４８】
第２クロック発生部１０３は、第１クロック発生部より供給されたクロックＰＣＫの周波数を更に分周してクロックＭＣＫを発生する。第２クロック発生部は発生したクロックＭＣＫをクロック変換部１０５へ供給する。第２クロック発生部１０３は、供給されたクロックＰＣＫの周波数を分周する分周器から構成される。クロックＭＣＫは、クロックＰＣＫよりも低周波数（例えば１００ＭＨｚ）となる。
【００４９】
クロック変換部１０５は、第２クロック変換部１０５より供給されたクロックＭＣＫの周波数を変換して複数種類のクロックＣＣＫに変換する。クロックＣＣＫは、クロック供給部１０７が動作するためにクロック供給部１０７へ供給されるクロックである。クロック供給部１０７はそれぞれ必要とするクロックＣＣＫの周波数が異なるため、クロック変換部１０５はそれぞれのクロック供給部１０７に応じた周波数のクロックＣＣＫに変換する。クロック変換部１０５は、周波数を分周する複数の分周器等から構成される。本実施形態では、２５ＭＨｚへ変換されたクロックＣＣＫが、メモリーカードインターフェース１１、フラッシュメモリー１３、表示制御部１８、及び、不揮発性表示部４のゲートドライバとソースドライバとにそれぞれ供給される。１００ＭＨｚへ変換されたクロックＣＣＫが、ＥＥＰＲＯＭ１４及びＲＡＭ１５にそれぞれ供給される。４ＭＨｚへ変換されたクロックＣＣＫが、無線通信部１７に供給される。
【００５０】
一方、第１クロック発生部１０２からクロックＰＣＫの供給を受けた演算処理部１０４は、第１クロック発生部１０２より発生されたクロックＰＣＫに同期して制御プログラムに従う演算処理を実行する。クロックＰＣＫが演算処理部１０４に供給されることで、演算処理部１０４は、制御プログラムの各制御指示を第１クロックＰＣＫに同期して順次実行する。演算処理部１０４により実行された制御指示は、ＣＰＵ１０に接続された各周辺機器へ出力される。
【００５１】
また、演算処理部１０４は後述の省電力状態を実行する際に、クロック変換部１０５に対してクロックＣＣＫの発生を停止させる指示を出力する。クロックＣＣＫの発生を停止させる指示を受けたクロック変換部１０５は、クロックＣＣＫの変換を停止して、クロック供給周辺機器１０７に対してクロックＣＣＫの供給を停止する。クロックＣＣＫの発生を停止したクロック変換部１０５は、操作キー５が利用者により操作された場合にクロックＣＣＫの供給を再開する。クロックＣＣＫの供給の停止と再開については、後述のメイン動作の説明において詳細に説明する。
【００５２】
タイマー１０６は、振動子１０１から供給される基準クロックをカウントすることにより計時動作を行う。
【００５３】
＜表示装置１の動作＞
以上説明した構成からなる表示装置１の動作及び作用について説明する。図４は、表示装置１におけるメイン動作の流れを示すフローチャートである。メイン動作は、表示装置１の種々の回路構成で実行される。メイン動作において後述のステップＳ１０５〜ステップＳ１１１、ステップＳ１１５〜ステップＳ１１７、及び、ステップＳ１２３については、上述の制御プログラムに従って実行される。
【００５４】
メイン動作は表示装置１のバッテリー１６に必要な電力が蓄えられている場合に動作する。表示装置１はメイン動作を開始すると、ステップＳ１０１において、表示装置１は電源キー５０が利用者により押下されるまで待機する。電源キー５０が利用者に押下されバッテリー１６とＣＰＵ１０とが接続されると次のステップＳ１０２を実行する。
【００５５】
ステップＳ１０２において、ＣＰＵ１０が一部の周辺機器に対して電力を供給させる指示を電力制御部１９へ出力する。ステップＳ１０２において電力が供給される一部の周辺機器とは、ＲＡＭ１５とフラッシュメモリー１３とＥＥＰＲＯＭ１４とメニューキー５１と閉じるキー５２と拡大キー５３と前キー５４と次キー５５と文字入力キー５６とである。ＣＰＵ１０からの指令を受けた電力制御部１９はバッテリー１６から供給される電圧をそれぞれの周辺機器に適した値の動作電圧に変換し、変換した電圧の電流をそれぞれの周辺機器に供給する。
【００５６】
ステップＳ１０３では、ＣＰＵ１０が、フラッシュメモリー１３に記憶された制御プログラムをＲＡＭ１５に展開して一時記憶させる指示をフラッシュメモリー１３とＲＡＭ１５とへ送る。また、ＥＥＰＲＯＭ１４に記憶された情報を、ＲＡＭ１５へ書き込む処理を行う。ＥＥＰＲＯＭ１４には、後述のステップＳ１２１において、ＲＡＭ１５に記憶されていた表示画像情報が書き込まれている。
【００５７】
ステップＳ１０４では、クロックＰＣＫが演算処理部１０４に供給され、クロックＣＣＫがクロック供給周辺機器１０７に供給される。具体的には、バッテリー１６から電力供給を受けた振動子１０１が基準クロックを発振し、振動子１０１から基準クロックの供給を受けた第１クロック発生部１０２がクロックＰＣＫを発生させる。第１クロック発生部１０２により発生されたクロックＰＣＫは、第２クロック発生部１０３と演算処理部１０４とへ供給される。クロックＰＣＫの供給を受けた第２クロック発生部１０３は、クロックＭＣＫを発生し、クロックＭＣＫをクロック変換部１０５へ供給する。クロックＭＣＫを受けたクロック変換部１０５は、クロックＭＣＫを複数のクロックＣＣＫに変換し、クロック供給部１０７に対してそれぞれ適した周波数のクロックＣＣＫを供給する。クロックＣＣＫの供給を受けたクロック周辺機器１０７は、クロックＣＣＫに同期して動作する。
【００５８】
ステップＳ１０５では、演算処理部１０４がステップＳ１０３でＲＡＭ１５に記憶された制御プログラムを開始する。制御プログラムの開始後は、制御プログラムの各制御指示が、第１クロックＰＣＫに同期してＲＡＭ１５から読み出され、演算処理部１０４により逐次実行される。以降、ステップＳ１０６からステップＳ１１１は、ＣＰＵ１０が制御プログラムを実行することで行われる。
【００５９】
ステップＳ１０６では、制御プログラムに基づいて、上述のステップＳ１０２において電力供給の行われなかった残りの周辺機器に対して電力供給を開始する。具体的には、不揮発性表示部４と、メモリーカードインターフェース１１と、無線通信部１７と、表示制御部１８とに電力を供給する指示が電力制御部１９に出力される。電力を供給する指示を受けた電力制御部１９は、各周辺機器に対して必要な電圧を発生して、それぞれの周辺機器に必要な電圧の各周辺機器に印加する。
【００６０】
ここで、不揮発性表示部４には、上述の共通電極と、ゲートドライバと、ソースドライバとに電圧が印加されるが、電気泳動型の表示素子を備えた不揮発性表示部４のゲートドライバとソースドライバに印加される電圧は一般的に高電圧である。このため、電力制御部１９が電力の供給の指示を受けてから、不揮発性表示部４のゲートドライバとソースドライバとに印加させる高電圧を電力制御１９で発生させるまでの間に時間がかかる。このため、利用者が連続して入力操作を行う場合は、高電圧の発生を省略させることが望ましい。この高電圧の発生の省略する動作ついては後述する。尚、本実施形態の表示装置１では、バッテリー１６から供給される約３Ｖの電圧を、約２０Ｖまで昇圧してゲートドライバとソースドライバに印加する。
【００６１】
ステップＳ１０７では、制御プログラムに基づいて、不揮発性表示部４の画像を書き換えるための書き換え準備が完了しているか否かが判断される。具体的には、上述のステップＳ１０７で電力供給を開始した各周辺機器（表示制御部１８、不揮発性表示部４、無線通信部１７、メモリーカードインターフェース１１）から、電力の供給を受け正常に動作する準備が整ったことを示す信号を受信した場合に、書き換え準備が完了していると判断される。書き換え準備が完了していないと判断された場合は（ステップＳ１０７、ＮＯ）、書き換え準備が完了されたと判断されるまで待機する。書き換え準備が完了していると判断された場合は（ステップＳ１０７、ＹＥＳ）、次のステップＳ１０８の処理を行う。
【００６２】
ステップＳ１０８では、制御プログラムに基づいて不揮発性表示部４の画像の書き換え処理が実行される。電源キー５０が押下され電源がオンされた直後にステップＳ１０８へ移行した場合は、初期画像である表示コンテンツ選択画像に書き換える指示が表示制御部１９に出力される。また、後述のステップＳ１１２やステップＳ１１８において入力操作が行われたと判断された直後にステップＳ１０８へ移行した場合は、現在表示中の画像と利用者により入力された入力操作に基づいて、入力操作に応じた画像に書き換える指示が表示制御部１９に出力される。尚、ステップＳ１０８において、書き換えられた後、どのような画像に書き換えられたかを示す表示画像情報がＲＡＭ１５に記憶される
ここで、図５を参照して不揮発性表示部４に表示される画像の例について説明する。図５は、不揮発性表示部４に表示された画像の一例を示した概略図である。
【００６３】
図５（Ａ）は、メモリーカード１２に記憶されている表示コンテンツを表示する表示コンテンツ表示画像の一例を示した概略図である。ステップＳ１０８において、表示コンテンツ表示画像に書き換える際は、メモリーカード１２から表示コンテンツを取得する。表示コンテンツはページ毎に分割された複数ページの画像を表示装置１に提供する。表示装置１は１ページごとの画像を表示コンテンツの内容として表示する表示コンテンツ表示画像を不揮発性表示部４に表示する。表示コンテンツ表示画像では、何ページ目を表示中であるか否かを示すページ番号に関する情報も表示する。図５（Ａ）では例として「６/１５」が表示されており、現在表示中のページが全体として１５ページあるなかで６ページ目が表示されていることを利用者に示す。この表示コンテンツ表示画像を表示中に利用者に入力操作が行われた場合、ステップ１０８においてどのように画像が書き換えられるかについての一例を説明する。次キー５５が利用者に押下された場合は、次のページに書き換えられる。前キー５４が押下された場合は、表示中のページよりひとつ前のページに書き換えられる。拡大キー５３が押下された場合は、表示中のページを拡大した画像を表示する拡大画像に書き換えられる。尚、拡大画像については図５に示す例では示していない。閉じるキー５２が押下された場合は、表示コンテンツを選択するための表示コンテンツ選択画像に書き換えられる。メニューキー５１が押下され場合は、表示装置１で実行可能なメニュー項目の一覧を表示したメニュー画像が表示される。尚、本実施形態においては、表示コンテンツは複数ページから構成されているものとして説明するが、本発明はこれに限定されるものではない。表示コンテンツは、不揮発性表示部４の表示領域よりも大きな画像であって、複数回分割してその画像が不揮発性表示部に表示されるものであっても良い。
【００６４】
図５（Ｂ）は、メモリーカード１２に記憶されている表示コンテンツの一覧を表示する表示コンテンツ選択画像の一例を示した概略図である。表示コンテンツ一覧画像では、メモリーカード１２に記憶されている表示コンテンツのタイトルが、文字入力キー５６のそれぞれに対応した位置に表示される。表示コンテンツ選択画像表示中に、文字入力キー５６のいずれかが押下されると、押下された文字入力キー５６の対応する位置に表示されたタイトルの表示コンテンツを表示する表示コンテンツ表示画像に書き換えられる。
【００６５】
図５（Ｃ）は、ページジャンプ画像の一例を示した概略図である。ページジャンプ画像は、上述の表示コンテンツ表示画像の表示中にメニューキー５１が押下され、メニューキー５１の押下により表示されたメニュー項目の中からページジャンプの項目が押下された場合に表示される画像である。ページジャンプ画像においては、閲覧したい表示コンテンツのページ数の入力を促すメッセージとともに、表示させるページを入力するための複数の入力ボックスが表示される。また、次の入力が行われる入力ボックスを識別するための識別マーク「＿」が表示される。また、不揮発性表示部４の表示領域の右端には、文字入力キー５６のそれぞれに対応する位置に、０〜９の数字、「×」、「一文字消去」、「確定」のそれぞれのアイコンが表示される。ページジャンプ画像の表示中に入力操作が行われた場合に、ステップＳ１０８においてどのように画像が書き換えられるかについての一例を説明する。０〜９の数字に対応する位置の文字列入力キー５６が押下された場合は、入力ボックスに押下された文字列入力キーに対応する数字を追加したページジャンプ画像に書き換えられる。また、「一文字消去」に対応する位置の文字列入力キー５６が押下された場合は、入力ボックスに表示されている数字を一文字消去したページジャンプ画像に書き換えられる。「確定」に対応する位置の文字列入力キー５６が押下された場合は、入力ボックスに表示されている数字が示すページを表示する表示コンテンツ表示画像に書き換えられる。「×」に対応する位置の文字列入力キー５６、または、閉じるキー５２が押下された場合は、ページジャンプ画像を表示する前に表示していたページを表示する表示コンテンツ表示画像に書き換えられる。
【００６６】
図５（Ｄ）は、日時設定画像の一例を示した概略図である。日時設定画像はメニュー画像を表示中に「設定一覧」のメニュー項目を選択し、設定一覧画像を表示させた後、設定の一覧の中から「日時」の項目を選択した場合に表示される画像である。尚、設定一覧画像については図５では例を示していない。日時設定画像では日時の設定を行うことができる。日時設定画像では、日時の入力を促すメッセージと、日時を示す数字を入力するための複数の入力ボックスと、次に数字が入力される入力ボックスを識別する識別マーク「＿」とが表示される。不揮発性表示部４の右端の表示領域には、文字入力キー５６のそれぞれに対応した位置に１〜９の数字と、「設定一覧に戻る」、「一文字進む」、「確定」とを示すアイコンとが表示される。日時設定画像で入力操作が行われた場合に、ステップＳ１０８でどのように画像が書き換えられるかについての一例を説明する。１〜９の数字に対応する文字列入力キー５６が押下された場合、識別マークで識別された入力ボックスに押下された文字列入力キー５６に対応する文字列が入力された日時設定画像に書き換えられる。「一文字進む」に対応する位置の文字列入力キー５６が押下された場合は、識別マークで識別される入力ボックスがひとつ移動した文字列入力画像に書き換えられる。「設定一覧に戻る」に対応する位置の文字列入力キー５６が押下された場合は、設定一覧画像に書き換えられる。「確定」に対応する位置の文字列入力キー５６が押下された場合は、入力ボックスに表示されている数字に基づいて日時の設定が変更され設定一覧画像に書き換えられる。
【００６７】
図５（Ｅ）は、パスワード入力画像の一例を示した概略図である。パスワード入力画像は、表示コンテンツ選択画像において予めパスワードが設定されている表示コンテンツが選択された場合に表示される。パスワード入力画像では、利用者がパスワードを入力し正しいパスワードが入力された場合に、パスワードの設定がされている表示コンテンツを表示することができる。パスワード入力画像は、パスワードの入力を利用者に促すメッセージと、パスワードを入力するための複数の入力ボックスと、次に入力される入力ボックスを識別するための識別マークとが表示される。また、不揮発性表示部４の右端の表示領域には、文字入力キー５６のそれぞれに対応した位置に０〜９の数字と、「×」、「一文字消去」、「確定」とを示すアイコンとが表示される。パスワード入力画像において利用者により入力操作が行われた場合に、ステップＳ１０８においてどのように画像が書き換えられるかについての一例を説明する。０〜９の数字に対応する文字列入力キー５６が押下された場合、識別マークで識別されていた入力ボックスに「＊」マークが入力され次の入力ボックスが識別マークで識別されたパスワード入力画像に書きかえられる。「一文字消去」に対応する文字列入力キー５６が押下された場合、入力ボックスの「＊」がひとつ消去されひとつ前の入力ボックスが識別マークで識別されたパスワード入力画像に書き換えられる。「×」に対応する文字列入力キー５６が押下された場合、パスワード入力画像は閉じられて、表示コンテンツ選択画像に書き換えられる。「確定」に対応する位置の文字列入力キー５６が押下された場合、入力されたパスワードが正しい場合は、パスワード設定がされた表示コンテンツを表示する表示コンテンツ表示画像に書き換えられる。入力されたパスワードが誤っている場合は、入力エラーを示すメッセージを表示する画像に書き換えられる。
【００６８】
このように、ステップＳ１０８においては、表示中の画像と入力操作に応じた画像に書き換える指示が表示制御部１８に出力され、表示制御部１８が不揮発性表示部４を制御することにより、不揮発性表示部４の画像が書き換えられる。尚、上述したように書き換えられた後どのような画像に書き換えられたかを示す表示画像情報がＲＡＭ１５に記憶されるため、ＣＰＵ１０は現在表示中の画像がどのような画像であるかを判断することができる。表示コンテンツ表示画像を表示中においては、表示中の表示コンテンツを識別する情報と表示中のページを識別する情報が表示画像情報としてＲＡＭ１５に記憶されていることになる。また、表示コンテンツ選択画像を表示中においては、表示コンテンツ選択画像を表示中であることを示す情報が表示画像情報としてＲＡＭ１５に記憶されていることになる。また、ページジャンプ画像を表示中においては、ページジャンプ画像を表示中であることを示す情報と、入力ボックスに入力済みの数字を示す情報とが表示画像情報としてＲＡＭ１５に記憶されていることになる。また、日時設定画像を表示中においては、日時設定画像を表示中であることを示す情報と、入力ボックスに入力済みの数字を示す情報とが表示画像情報としてＲＡＭ１５に記憶されていることになる。また、パスワード入力画像を表示中においては、パスワード入力画像を表示中であることを示す情報と、入力ボックスに入力済みの数字を示す情報とが表示画像情報としてＲＡＭ１５に記憶されていることになる。画像が書き換えられるたびに古い表示画像情報は、ＲＡＭ１５から消去される。
【００６９】
尚、後述のＳ１２１において、不揮発性表示部４に表示コンテンツ表示画像を表示したまま電源がオフされた後、次に電源キー５０が押下され再度電源がオンされた場合は、初期画像を表示せずに、電源がオフされる前に表示させていた表示コンテンツ表示画像を表示させても良い。ＲＡＭ１５に表示コンテンツ表示画像の表示画像情報が記憶されていない場合は、初期画像としての表示コンテンツ選択画像に書き換える。
【００７０】
尚、本実施形態では、電源オフされた時は、不揮発性表示部４に表示された画像が継続して表示させずに白紙の状態にするものとして説明するが、電源オフ時には不揮発性表示部４の表示をそのまま継続させてもよい。
【００７１】
ステップＳ１０９では、制御プログラムに基づいて、ＣＰＵ１０が表示中の画像に応じた移行時間をステップＳ１０３でフラッシュメモリー１３から転送されたＲＡＭ１５に格納された移行時間設定テーブルから取得し、取得した移行時間を後述のタイマー１０６でカウントする移行時間としてＲＡＭ１５に記憶する。
【００７２】
ここで、フラッシュメモリー１３に記憶された移行時間設定テーブルの一例について、図６を参照して説明する。図６は、移行時間設定テーブルの一例である。移行時間設定テーブルには、表示コンテンツ表示画像に対して３秒が記憶されている。また、表示コンテンツ選択画像に対して１５秒が記憶されている。また、ページジャンプ画像、日時設定画像、パスワード入力画像に対しては、それぞれ５０秒が記憶されている。
【００７３】
ステップＳ１１０では、制御プログラムに基づいて、ＣＰＵ１０がタイマー１０６に時間のカウントをスタートする指示を行う。タイマー１１０は、上述のステップ１０９で取得した表示中の画像に応じた移行時間のカウントと、１０分間のカウントを開始する。
【００７４】
ステップＳ１１１では、制御プログラムに基づいて、ＣＰＵ１０は、クロックＣＣＫの供給を停止する。具体的には、上述の演算処理部１０４が、クロック変換部１０５に対して、クロック供給周辺機器１０７へのクロックＣＣＫの供給の停止を指示する。
【００７５】
ステップＳ１１２では、ＣＰＵ１０が、利用者により入力操作が行われたか否かを判断する。ＣＰＵ１０は、操作キー５により利用者の入力操作が検知されているか否かに基づいて、入力操作が行われたか否かを判断する。尚、ステップＳ１１１においてクロックＣＣＫの供給を停止した後は、ＣＰＵ１０はおよそ16msec毎にクロックＣＣＫの供給を一時的に再開する周期タスクを実行する。ＣＰＵ１０はこの周期タスクにおいて、キーポートを確認し入力操作が行われているか否かを確認する。周期タスク実行後はクロックＣＣＫは停止される。また、周期タスクの代わりに、割り込み処理によりキー入力操作を確認してもよい。
【００７６】
入力操作が行われたと判断された場合は（ステップＳ１１２、ＹＥＳ）、ステップ１２２において、ＣＰＵ１０は、クロック変換部１０５からクロック周辺機器１０５へのクロックＣＣＫの供給を再開させる。そしてステップＳ１２３において、再度ＲＡＭ１５に記憶された制御プログラムを開始して、ステップＳ１０７へ移行する。
【００７７】
尚、ステップＳ１１２において入力操作があると判断された時から、ステップＳ１０７で書き換え準備が完了したと判断されるまでの時間は、電源がオフの状態から電源が入れられた時から、ステップＳ１０７により書き換え準備が完了したと判断されるまでの時間よりも短くなる。電源がオンされたときから（ステップＳ１０１、ＹＥＳ）、書き換え準備が完了と判断される（ステップＳ１０７、ＹＥＳ）までの間には、上述のステップＳ１０４において、振動子１０１で発生される基準クロックが安定するまで待機時間が必要であることと、上述のステップＳ１０６において電力の供給が開始された周辺機器が起動して、正常に動作する準備が整ったことを示す信号をＣＰＵ１０へ送信するまでの待機時間が必要であるためである。これに対して、入力操作が行われたときから（ステップＳ１１２、ＹＥＳ）、書き換え準備が完了と判断される（ステップＳ１０７、ＹＥＳ）までの間には、基準クロックが安定するまでの待機時間や、周辺機器が起動して正常に動作する準備が整ったことを示す信号をＣＰＵ１０へ送信するまでの待機時間が存在しない。入力操作があると判断された時点において、既に振動子１０１においては既に安定して基準クロックが発生しており、ステップＳ１０６で電力供給が開始される周辺機器においては既に電力の供給を受けて、書き換えのための準備が整った状態であるからである。
【００７８】
入力操作が行われていないと判断された場合は（ステップＳ１１２、ＮＯ）、ステップＳ１１３において、ＣＰＵ１０は、タイマー１０６によりカウントされた時間が移行時間以上であるか否かを判断する。１５秒以上であると判定された場合、ステップＳ１１４を実行する。１５秒以上であると判定されなかった場合、ステップＳ１１２を実行する。
【００７９】
ステップＳ１１４では、ＣＰＵ１０は、クロック制御部１０８から演算処理部１０４へのクロックＣＣＫの供給を再開させる。そしてステップＳ１１５において、再度ＲＡＭ１５に記憶された制御プログラムを開始して、ステップＳ１１６へ移行する。
【００８０】
ステップＳ１１６では、上述のステップＳ１０６で電力の供給を開始した周辺機器（不揮発性表示部４、メモリーカードインターフェース１１、無線通信部１７、表示制御部１８）への電力供給の停止を行う指示が電力制御部１９へ出力される。電力供給の停止の指示を受けた電力制御部１９ではその指示に従って、バッテリー１６と各周辺機器との間に設けられたＦＥＴスイッチがオフされる。
【００８１】
ステップＳ１１７では、ステップＳ１１５で一時的に起動された制御プログラムに基づいてＣＰＵ１０が振動子１０１での基準クロックの発生を停止させる。
【００８２】
ステップＳ１１８では、利用者により入力操作が行われたか否かが判断される。入力操作が行われたと判定された場合、ステップＳ１０４を実行する。入力操作が行われたと判定されなかった場合、ステップＳ１１９を実行する。ステップＳ１１８においては、入力操作が行われた場合、ＣＰＵ１０は割り込み処理により起動して、キーポートを確認し、いずれの操作キー５が押下されているかを判断する。
【００８３】
ステップＳ１１９では、ＣＰＵ１０は、タイマー１０６によりカウントされた時間が１０分以上であるか否かを判断する。１０分以上であると判断された場合、ステップＳ１２０が実行される。１０分以上であると判断されなかった場合、ステップＳ１１８が実行される。
【００８４】
ステップＳ１２０では、ＣＰＵ１０が、タイマー１０６のカウントを終了する指示を発生する。
【００８５】
ステップＳ１２１では、上述のステップＳ１０４からステップＳ１０７への処理と同様の動作を実行後、不揮発性表示部４を白紙状態の表示に書換え、ＲＡＭ１５に記憶されている情報をＥＥＰＲＯＭ１４に書き込む。そして、バッテリー１６と上述のステップＳ１１６で電力の供給を停止しなかった残りの周辺機器（ＲＡＭ１５、フラッシュメモリー１３、ＥＥＰＲＯＭ１４、メニューキー５１、閉じるキー５２、拡大キー５３、前キー５４、次キー５５、文字入力キー５６）との接続を遮断する指示を電力制御部１９へ出力する。その後、ＣＰＵ１０は、バッテリー１６とＣＰＵ１０との接続を遮断する指示を電力制御部１９へ出力する。このようにして、次に電源キー５０が押下されるまでの間、表示装置１は電源オフの状態が維持される。
【００８６】
以上の説明で図６を見れば明らかなように、表示装置１によれば、表示コンテンツ選択画像の表示中よりも、表示コンテンツ表示画像の表示中の方が、より早いタイミングに省電力状態に移行する。また、ページジャンプ画像や日時設定画像やパスワード入力画像の表示中よりも、表示コンテンツ表示画像の表示中の方が、より早いタイミングで省電力状態に移行する。尚、表示コンテンツ選択画像は特許請求の範囲に記載の選択画像に相当する。上述の説明ではパスワードとして０〜９の数字の組み合わせの入力を行うものとして説明したが、もちろんアルファベットや、記号等のその他の文字をパスワードに用いる変形を加えてもよい。また、ページジャンプ画像、日時設定画像、パスワード入力画像は、特許請求の範囲に記載の文字列入力画像に相当する。上述の実施形態で説明した、表示コンテンツ表示画像、表示コンテンツ選択画像、ページジャンプ画像、日時設定画像、パスワード入力画像については、あくまで一例を示したに過ぎず、本発明はこれに限定されるものではない。
【００８７】
また、上述の実施形態における不揮発性表示部４が、特許請求の範囲に記載の不揮発性表示部に相当する。上述の実施形態における電力制御部１９が、特許請求の範囲に記載の切替部に相当する。上述の実施形態における表示制御部１８が、特許請求の範囲に記載の表示制御部に相当する。上述の実施形態における操作キー５が、特許請求の範囲に記載の操作部に相当する。上述の実施形態におけるＣＰＵ１０が、特許請求の範囲に記載の移行時間取得部、第１書換指示部、省電力状態移行部、書換状態移行部、第２書換指示部、表示コンテンツ取得部に相当する。また、上述の実施形態におけるステップＳ１０９が、移行時間取得ステップに相当する。ステップＳ１１２において入力操作ありと判断された後のステップＳ１０８が、第１書換指示ステップに相当する。ステップＳ１１６及びステップＳ１１７が、省電力状態移行ステップに相当する。ステップＳ１１８において入力操作ありと判断された後のステップＳ１０４〜ステップＳ１０７が、書換状態移行ステップに相当する。ステップＳ１１８において入力操作ありと判断された後のステップＳ１０８が、第２書換指示ステップに相当する。ステップＳ１０８が、表示コンテンツ取得ステップに相当する。上述の実施形態におけるステップＳ１０７において書き換え準備が完了と判断された後の表示装置１の状態が、特許請求の範囲に記載の書換可能状態に相当する。また、上述の実施形態におけるステップＳ１１７のステップが完了後の表示装置１の状態が、特許請求の範囲に記載の省電力状態に相当する。但し、これらはあくまで一例に過ぎず、本発明を限定するものではない。
【００８８】
上述の実施形態においては、表示中の画像に応じた移行時間が有限となるように、いずれの画像においても有限の時間が設定されているものとして説明したが、特定の画像においては無限大の時間を対応させてもよい。たとえば、上述の実施形態においてはフラッシュメモリー１３にパスワード入力画像に対して５０秒の時間が対応づけて記憶されているものと説明したが、パスワード入力画像に対して無限大の時間を設定させてもよい。この場合、パスワード入力画像に書換えられた後は、利用者によって別の画像に書き換えられるまでは、表示装置１が省電力状態に移行することがなくなる。
【００８９】
フラッシュメモリー１３に、画像に対応する移行時間を利用者に変更させるようにしてもよい。この移行時間際の移行時間の変更は、画像毎の秒数を直接利用者に入力させる画像を表示させて、画像毎に利用者が好きな時間を設定できるようにしてもよい。この場合はまず、画像の種類のリストを表示させ、そのリストの中から利用者に移行時間を変更する画像の種類を選択させる。次に、時間を入力させる画像を表示して、利用者により入力された時間を、選択された画像の新たな移行時間として、フラッシュメモリー１３に記憶させる。
【符号の説明】
【００９０】
１  表示装置
４  不揮発性表示部
５  操作キー
１０  ＣＰＵ
１１  メモリーカードインターフェース
１２  メモリーカード
１３  フラッシュメモリー
１４  ＥＥＰＲＯＭ
１５  ＲＡＭ
１６  バッテリー
１７  無線通信部
１８  表示制御部
１９  電力制御部
１０１  振動子
１０２  第１クロック発生部  １０４  演算処理部
１０５  クロック変換部
１０６  タイマー
１０７  クロック供給周辺機器
【図１】
2010271563.tif 000003
【図２】
2010271563.tif 000004
【図３】
2010271563.tif 000005
【図４】
2010271563.tif 000006
【図５】
2010271563.tif 000007
【図６】
2010271563.tif 000008